(57)【要約】【課題】ロック部材の複製や、解除工作が困難であり、封印を開閉した履歴が明らかとなる遊技機用基板ケースを提供する。【解決手段】遊技機本体側に設けられ、基板が取り付けられる下ケース２０と、下ケース２０に取り付けられる上ケース３０と、上ケース３０と一体成型されたセーフティーロックフック４０と、遊技機本体に固定され、セーフティーロックフック４０前記第１のロック部材と係合するフックホルダー５０と、下ケース２０と上ケース３０とによって密封され、セーフティーロックフック４０とフックホルダー５０とが内部空間で係合するロック部収容部６０と、ロック部収容部６０と一体に形成され、破壊することによってセーフティーロックフック４０とフックホルダー５０との係合を解除できる確認用窓部６１とを備える。【選択図】図１
2005103177.tif 000002
【特許請求の範囲】
【請求項１】
遊技機本体側に設けられ、基板が取り付けられるベース部材と、
前記ベース部材に取り付けられる蓋部材と、
前記ベース部材又は前記蓋部材と一体成型された第１のロック部材と、
前記遊技機本体に固定され、前記第１のロック部材と係合する第２のロック部材と、
前記ベース部材と前記蓋部材とによって密封され、前記第１のロック部材と前記第２のロック部材とが内部空間で係合するロック部収容部と、
前記ロック部収容部と一体に形成され、破壊することによって前記第１のロック部材と前記第２のロック部材との係合を解除できる確認用窓部と、
を備える遊技機用基板ケース。
【請求項２】
請求項１に記載の遊技機用基板ケースにおいて、
前記確認用窓部は、透明又は半透明な材料によって作製されること
を特徴とする遊技機用基板ケース。
【請求項３】
請求項１又は請求項２に記載の遊技機基板用ケースにおいて、
前記第１のロック部材は、複数個設けられ、
前記第２のロック部材は、前記遊技機本体に対し、前記複数の第１のロック部材のいずれかと係合する位置に選択的に固定され、
前記ロック部収容部及び前記確認用窓部は、前記複数の第１のロック部材のそれぞれに設けられること
を特徴とする遊技機用基板ケース。
【請求項４】
請求項１から請求項３までのいずれか１項に記載の遊技機用基板ケースにおいて、
前記ベース部材及び前記蓋部材にわたして設けられ、軟質材料を有するストリップ状の封印部を有し、
前記封印部の一方の端部は、前記ベース部材又は前記蓋部材の他方の材料を溶融することによって固定され、
前記封印部の他方の端部は、前記ベース部材又は前記蓋部材のいずれか一方に嵌合される留め具部を有すること
を特徴とする遊技機用基板ケース。
【発明の詳細な説明】
【技術分野】
【０００１】
本発明は、回胴式遊技機又は弾球遊技機等の遊技機の基板を収容する遊技機用基板ケースに関するものである。
【背景技術】
【０００２】
通常、遊技機には、その遊技状態を制御する主基板が設けられている。主基板は、遊技者の操作に応じて、遊技者に公平な遊技状態を提供する。したがって、万一基板に対する不正行為が行われた場合には、遊技者が不利益を被る場合がある。このような不正行為には、例えば、主基板のＲＡＭの書き換えや、不正ＲＯＭへの交換が含まれる。
【０００３】
したがって、主基板に対する不正行為を防止し、遊技者に不測の不利益を与えないため、主基板を収容するケースに機械的なロック手段を備えた封印を施し、不正に主基板に対してアクセスできないようにすることが一般的となっている。
【０００４】
一方、上述した主基板の仕様が正当なものであることを担保するため、遊技機を遊技場に設置中に主基板の検査が行われる。このような場合には、ケースを一旦開け、検査器具による検査を行った後に、改めてケースを閉じ、新たに再封印を施す必要がある。
【０００５】
例えば、特許文献１には、ストリップ状に形成されその先端部にケースの一方の部材に嵌め込まれる留め具を有する封印部材を複数並列に設けることが記載されている。これによれば、ケースを開ける際には、現在封印されている封印部材をニッパ等で切断し、ケースを再び閉じる際には、他の封印部材によって封印を行う。
しかし、悪質な不正行為者は、封印部材を偽造して交換し、不正にケースが開けられた形跡を隠して主基板への不正行為を行うことがあった。
【０００６】
また、特許文献２には、封印手段として戻り防止ネジを利用することが提案されている。しかし、この場合にも、専用の特殊工具を用いて取り外される場合があるほか、封印作業を行うときに専用ツールが必要な場合があり、作業が煩雑となっていた。
また、封印手段として、ケース内に密封された空間内で係合するフックを用いることも提案されているが、フックが正常にロック状態にあるか（嵌っているか）否かが外観から判別しにくく、フックを係合させない状態でケースを閉じてしまうと、ケース開閉の履歴がわかりにくいという問題があった。
【特許文献１】特開２００１−１３７４２８号公報
【特許文献２】特開２００１−１１１２４７号公報
【発明の開示】
【発明が解決しようとする課題】
【０００７】
本発明の課題は、ロック部材の複製や、解除工作が困難であり、封印を開閉した履歴が明らかとなる遊技機用基板ケースを提供することである。
【課題を解決するための手段】
【０００８】
本発明は、以下のような解決手段により、上述した課題を解決する。なお、理解を容易にするために、後述する本発明の実施例に対応する符号を付して説明するが、本発明はこれに限定されるものではない。
請求項１の発明は、遊技機本体側に設けられ、基板が取り付けられるベース部材（２０）と、前記ベース部材に取り付けられる蓋部材（３０）と、前記ベース部材又は前記蓋部材と一体成型された第１のロック部材（４０）と、前記遊技機本体に固定され、前記第１のロック部材と係合する第２のロック部材（５０）と、前記ベース部材と前記蓋部材とによって密封され、前記第１のロック部材と前記第２のロック部材とが内部空間で係合するロック部収容部（６０）と、前記ロック部収容部と一体に形成され、破壊することによって前記第１のロック部材と前記第２のロック部材との係合を解除できる確認用窓部（６１）と、を備える遊技機用基板ケースである。
【０００９】
請求項２の発明は、請求項１に記載の遊技機用基板ケースにおいて、前記確認用窓部は、透明又は半透明な材料によって作製されることを特徴とする遊技機用基板ケースである。
【００１０】
請求項３の発明は、請求項１又は請求項２に記載の遊技機基板用ケースにおいて、前記第１のロック部材は、複数個設けられ、前記第２のロック部材は、前記遊技機本体に対し、前記複数の第１のロック部材のいずれかと係合する位置に選択的に固定され、前記ロック部収容部及び前記確認用窓部は、前記複数の第１のロック部材のそれぞれに設けられることを特徴とする遊技機用基板ケースである。
【００１１】
請求項４の発明は、請求項１から請求項３までのいずれか１項に記載の遊技機用基板ケースにおいて、前記ベース部材及び前記蓋部材にわたして設けられ、軟質材料を有するストリップ状の封印部（７２）を有し、前記封印部の一方の端部は、前記ベース部材又は前記蓋部材の他方の材料を溶融することによって固定され、前記封印部の他方の端部は、前記ベース部材又は前記蓋部材のいずれか一方に嵌合される留め具部（７３）を有することを特徴とする遊技機用基板ケースである。
【発明の効果】
【００１２】
本発明によれば、以下のような種々の効果がある。
（１）第１のロック部材がベース部材又は蓋部材と一体成型されているので、ロック部材      の複製が困難である。
（２）第１のロック部材と第２のロック部材とがロック部収容部の内部空間で係合するよ      うにしたので、外部から一切触ることができず、解除工作を未然に防ぐことができ      る。
（３）確認用窓部がロック部収容部と一体に形成され、破壊することによって第１のロッ      ク部材と第２のロック部材との係合を解除できるようにしたので、ロックの状態を      いつでも簡単に確認できるとともに、ロック解除の痕跡が確実に残せるようになっ      た。
【発明を実施するための最良の形態】
【００１３】
本発明は、遊技機の主基板に対する不正工作を未然に防ぐという目的を、セーフティーロックをケースと一体化し、ロック部収容部内でロックし、そのロックの状態を正面の窓部から確認できることで実現した。
【実施例】
【００１４】
以下、図面等を参照して、本発明の実施例をあげて、さらに詳しく説明する。
図１は、本発明による遊技機用基板ケースの実施例の全体を示す斜視図である。図１（Ｂ）２は、図１（Ａ）のＢ部を拡大した図である。
本実施例の遊技機用基板ケース１０は、下ケース２０と、上ケース３０と、セーフティーロックフック４０と、フックホルダー５０と、ロック部収容部６０などとを備えている。
【００１５】
下ケース２０は、不図示の遊技機本体側に主基板固定金具９１、９２に固定され、主基板８０などが取り付けられるベース部材であり、本体封印用ヒンジ部材９２ａにより、上ケース３０とともに封印され、その上から本体封印用シール９３が貼られる。上ケース３０は、下ケース２０に取り付けられる蓋部材であり、左右のロック用爪３１で下ケース２０のロック用孔２１と係合する。
上ケース３０は、内部の左右２カ所に、ロック用ヒンジ部材３２が設けられている。
なお、９３は本体封印シール、９４，９５はケース封印シール、９６はセーフティーロック使用記録紙である。
【００１６】
セーフティーロックフック４０は、上ケース２０と一体成型された第１のロック部材である。フックホルダー５０は、主基板固定金具９２に固定され、セーフティーロックフック４０と係合する第２のロック部材である。セーフティーロックフック４０は、厚肉にできており、取り付け時に、外力や振動等でロック状態が解除されることはない。したがって、不正のための複製が困難である。
ロック部収容部６０は、セーフティーロックフック４０とフックホルダー５０とが内部空間で係合する部分であり、このロック部収容部６０と一体に形成され、破壊することによってセーフティーロックフック４０とフックホルダー５０との係合を解除できるセーフティーロック確認窓６１が設けられている。このセーフティーロック確認窓６１は、ケース正面に設けられ、正面から容易に確認できるように、透明又は半透明な材料によって作製されている。
セーフティーロック確認窓６１は、ロック部収容部６０と薄肉部で一体化されており、必要なロック解除時には、ドライバー等の簡易工具で容易に取り外すことができる。
【００１７】
セーフティーロックフック４０は、複数個（ここでは、４個）設けられ、フックホルダー５０は、主基板固定金具９２に対し、４個のセーフティーロックフック４０のいずれかと係合する位置に選択的に固定される。ロック部収容部６０とセーフティーロック確認窓６１は、複数のセーフティーロックフック４０のそれぞれに設けられている。
【００１８】
また、セーフティーロック部材７０は、図１（Ｂ），図５に示すように、下ケース２０に固定される基板部７１と、下ケース２０と上ケース３０にわたして設けられ、軟質材料からなるストリップ状のセーフティーロックフック（封印部）７２とを備えている。この例では、セーフティーロックフック７２（Ａ），（Ｆ）は、一体に設けられている。
基板部７１は、セーフティーロックフック７２の一方の端部が一体となっており、下ケース２０と同一材料の凸部２３に、その孔部７４を通したのち、凸部２３を溶融することによって固定される。セーフティーロックフック７２は、他方の端部に上ケース３０に嵌合されるフック部（留め具部）７３を有している。
また、セーフティーロック部材７０は、ナイロン、ポリプロピレン等の難接着材料でできており、不正行為の再接着を困難にしている。
【００１９】
なお、本実施例では、主基板ケース１０は、セーフティーロックとして位置Ａ〜位置Ｆを備えており、これは、遊技装置の検査上決められたものであり、以下の内訳にて設定されている。位置Ａ：メーカ封印用，位置Ｂ：本体固定用，位置Ｃ：立入検査１回目用，位置Ｄ：立入検査２回目用，位置Ｅ：立入検査３回目用，位置Ｆ：基板回収用である。
これらのうち、位置Ｂ〜位置Ｅに対して、セーフティーロックフック４０とフックホルダー５０とのロックを適用した。これらの位置が、取り扱い上再締結作業が必要な位置だからである。また、位置Ａ，Ｆに対して、セーフティーロックフック７２のロックを適用した。
【００２０】
次に、図２〜図６を参照して、本実施例による基板ケース１０の開封動作を説明する。
まず、図２に示すように、本体封印シール９３を剥がして、本体封印用ヒンジ部材９２ａを矢印Ｇ方向に回転する。
次に、図３に示すように、セーフティーロック確認窓６１（Ｂ）の切断箇所６２，６２に、マイナスドライバー１０１を矢印Ｈの方向に差し込み、ハンマー１０２で叩き割り、セーフティーロック確認窓６１（Ｂ）を取り外す。
図４に示すように、セーフティーロックフック４０（Ｂ）のバネ部４１を、マイナスドライバー１０１等で折り曲げて、フックホルダー５０から右（矢印Ｊ）へ押し出し、本体９０から基板ケース１０を取り外す。
【００２１】
一方、図５に示すように、セーフティーロックフック７２（Ａ）を、その切断箇所７５で、ニッパ１０３等を用いて、開封する（立ち入り検査１回目のみ）。
図６に示すように、ケース封印シール９４，９５（図１参照）を剥がし、上ケース３０の左右２カ所のロック用爪３１を解除し（矢印Ｋ）、下ケース２０のロック用ヒンジ部材３２を回転させ、上ケース３０を取り外し、検査治具１０４等を用いて主基板８０の検査を行う。なお、８１は主基板８０の外部コネクタである。
【００２２】
次に、図７〜図１０を参照して、本実施例による基板ケース１０の封印動作を説明する。
まず、図７に示すように、主基板８０の検査が終了したら、上ケース３０のロック用ヒンジ部材３２を、下ケース２０のロック用ヒンジ部材（不図示）へ引っかけ、これを中心に回転させ、上ケース３０のロック用爪３１を、下ケース２０のロック用孔２１へ押し込み（矢印Ｌ）、ロックする。
図８に示すように、フックホルダー固定ネジ５１を取り外し、フックホルダー５０を、主基板固定金具９２のすぐ下の段へ引っかける。そして、取り外したネジ５１で、フックホルダー５０を固定する。
図９示すように、基板ケース１０を、左右の主基板固定金具９１、９２にはめ込み、左に押し込む。セーフティーロック確認窓６１から、セーフティーロック４０（Ｃ）が、フックホルダー５０に、はまっていることを確認できる。
尚、故障等でメーカーへ主基板を返送する場合には、主基板ケースを本体から取り外し、図１０に示すように、セーフティーロックフック７２（Ｆ）を、上ケース３０の穴に、プラスドライバー等で押し込んでロックし、メーカーへ返送する。
【００２３】
（変形例）
以上説明した実施例に限定されることなく、種々の変形や変更が可能であって、それらも本発明の均等の範囲内である。
（１）セーフティーロックフック４０は、上ケース３０と一体成型された例で説明したが      、下ケース２０に一体成型されていてもよい。
【図面の簡単な説明】
【００２４】
【図１】本発明による遊技機用基板ケースの実施例の全体を示す斜視図である。
【図２】本実施例による基板ケース１０の開封動作（本体封印用ヒンジ部材）を説明する図である。
【図３】本実施例による基板ケース１０の開封動作（セーフティーロック確認窓）を説明する図である。
【図４】本実施例による基板ケース１０の開封動作（ロック部収容部）を説明する図である。
【図５】本実施例による基板ケース１０の開封動作（セーフティーロック部材）を説明する図である。
【図６】本実施例による基板ケース１０の開封動作（全体）を説明する図である。
【図７】本実施例による基板ケース１０の封印動作（全体）を説明する図である。
【図８】本実施例による基板ケース１０の封印動作（フックホルダー）を説明する図である。
【図９】本実施例による基板ケース１０の封印動作（フックホルダー）を説明する図である。
【図１０】本実施例による基板ケース１０の封印動作（セーフティーロック部材）を説明する図である。
【符号の説明】
【００２５】
１０  遊技機用基板ケース
２０  下ケース
３０  上ケース
４０  セーフティーロックフック
５０  フックホルダー
６０  ロック部収容部
６１  確認用窓部
７０  セーフティーロック部材
【図１】
2005103177.tif 000003
【図２】
2005103177.tif 000004
【図３】
2005103177.tif 000005
【図４】
2005103177.tif 000006
【図５】
2005103177.tif 000007
【図６】
2005103177.tif 000008
【図７】
2005103177.tif 000009
【図８】
2005103177.tif 000010
【図９】
2005103177.tif 000011
【図１０】
2005103177.tif 000012